(57)【特許請求の範囲】
【請求項１】
対向配置した一対の桟材と、各桟材の対向面に端面を当接して桟材間に架設した複数のルーバー材とを備え、桟材は、対向面の見込方向中間部に長手方向の突条を有し、突条は、桟材を貫通する突条分断孔によってルーバー材の端面が当接する位置で分断してあり、ルーバー材は、分断されて隣り合う突条間に嵌まり込んでおり、突条の見込み方向一方側で桟材にネジ止めしてあると共に、突条の見込み方向他方側面に当接する当接部を有することを特徴とするガラリ。
【発明の詳細な説明】
【技術分野】
【０００１】
本発明は、ガラリに関する。  
【背景技術】
【０００２】
特許文献１には、対向配置した一対の桟材間に複数のルーバー材を架設したガラリが開示されている。  
このガラリでは、ルーバー材はネジで桟材に固定している。  
【先行技術文献】
【特許文献】
【０００３】
【特許文献１】特開平１１−１５９２５８号公報
【発明の概要】
【発明が解決しようとする課題】
【０００４】
しかし、ルーバー材を桟材にネジ止めしているだけでは、強風を受けたときにルーバー材にネジ止め箇所を中心とする回転方向の力が作用して、ルーバー材の位置ずれが生じたり、変形するおそれがあった。特に、巾広のルーバー材では作用する力が大きいため、位置ずれや変形のおそれがあった。  
【０００５】
そこで、本発明は、ルーバー材の取付強度が高いガラリの提供を目的とする。  
【課題を解決するための手段】
【０００６】
請求項１に記載の発明は、対向配置した一対の桟材と、各桟材の対向面に端面を当接して桟材間に架設した複数のルーバー材とを備え、桟材は、対向面の見込方向中間部に長手方向の突条を有し、突条は、桟材を貫通する突条分断孔によってルーバー材の端面が当接する位置で分断してあり、ルーバー材は、分断されて隣り合う突条間に嵌まり込んでおり、突条の見込み方向一方側で桟材にネジ止めしてあると共に、突条の見込み方向他方側面に当接する当接部を有することを特徴とするガラリである。
【発明の効果】
【０００７】
請求項１に記載の発明によれば、ルーバー材は突条の見込方向一方側で桟材にネジ止めしてあると共に、分断された突条間に嵌り込んでいるので、強風を受けた場合でもネジ止め部を中心としてルーバー材に作用する時計方向及び反時計方向の回転力を分断された一方又は他方の突条で受けることができるから、ルーバー材の取付強度を高めることができる。  
更に、ルーバー材の当接部が突条の見込み方向他方側面に当接することで、ネジ止め部を中心としてルーバー材に作用する時計方向又は反時計方向の回転力を突条の側面で受けるから、ルーバー材が変形し難い。  
【図面の簡単な説明】
【０００８】
【図１】第１実施の形態にかかるガラリを取り付けた枠の縦断面図である。
【図２】第１実施の形態にかかるガラリを取り付けた枠の横断面図である。
【図３】第１実施の形態にかかるガラリの縦桟の一部をネジ挿通側から見た側面図である。
【図４】第２実施の形態にかかるガラリの一部を示す縦断面図である。
【図５】第３実施の形態にかかるガラリの一部を示す縦断面図である。
【図６】第４実施の形態にかかるガラリの一部を示す縦断面図である。
【発明を実施するための形態】
【０００９】
以下に、添付図面を参照して本発明の実施の形態について説明するが、まず、図１〜図３を参照して第１実施の形態について説明する。  
図１及び図２に示すように、本実施の形態にかかるガラリ１は、建物の躯体開口部に配置された換気口の枠３の内周側に取り外し可能に取り付けたガラリである。  
枠３は上枠５、下枠７、左右の縦枠９を枠組みしてあり、各枠５、７、９の枠内周側には室外側から枠３内に挿入されたガラリ１を受ける受け部１１が突設されている。また、図２に示すように、左右の縦枠９、９には、ガラリ１を室外側から押える押え材１３がネジ１２で固定してある。押え材１３はアングル材であり、縦枠９には押え材１３の被係止部１５を係止する係止部１７が形成してある。係止部１７は縦枠９の枠内周側に突設した突条であり、被係止部１５は押え材１３から縦枠９側に突設した突条である。  
【００１０】
図２に示すように、ガラリ１は、対向配置した一対の縦桟１９、１９と、各縦桟１９、１９の対向面１９ａに端面を当接して縦桟１９、１９間に架設したルーバー材２１とを備えている。縦桟１９及びルーバー材２１は各々形材である。  
本実施の形態では、縦桟１９は、左右に間隔をあけて配置してあり、図１に示すように、各対向面１９ａには、見込方向の中間部に縦桟１９の長手方向に長い突条２３が形成してある。突条２３は、対向面１９ａの見込方向中央よりも室内側に形成してある。  
突条２３は、その長手方向において、所定の位置で分断するように、縦桟１９を貫通した突条分断孔（分断部）２５が形成されている。この突条分断孔２５は丸孔であり、ルーバー材２１の端面が配置される位置に形成してある。  
また、縦桟１９には、ルーバー材２１を止めるネジ２６を挿通するネジ挿通孔２７（図３参照）が形成してある。  
図２に示すように、対向する各縦桟１９の室外側端には対向する側へ向けて突設する室外側片２９と、室内側端で対応する側へ向けて突設する室内側片３１が形成してある。
縦桟１９には対向面１９ａと反対側の面１９ｂ（ネジ挿通側面）には、ネジ挿通側に突設する室内側突設片３３と室外側突設片３５とが形成してある。  
【００１１】
図１に示すように、ルーバー材２１はその縦断面において、室外側端から垂下する室外側垂直部３７と、室外側垂直部３７の上端から室内側上方に向かう中間傾斜部３９と、中間傾斜部３９の上端から垂直に上がる中間垂直部（当接部）４１と、中間垂直部４１の上端から室内側上方に向かう室内側傾斜部４３と、室内側傾斜部４３の上端から下方に垂下する室内側垂直部４５とを有している。  
中間傾斜部３９には、その室内側面の傾斜方向中間位置にタッピングホール４７が形成してある。  
【００１２】
中間垂直部４１は縦桟１９の対向面１９ａに形成された突条２３の室内側面に当接して配置してある。  
中間傾斜部３９の上端は、図１に拡大して示すように、突条分断孔２５を横断して配置してあり、図３に示すように、ルーバー材２１が正しく取り付けられた位置で縦桟１９のネジ２６を挿通する側から端面が見えるようにしてある。  
また、図１に示すように、中間傾斜部３９の上端部分では、分断されて上下に隣り合う突条２３、２３間に嵌め込まれた状態としてある。  
ルーバー材２１は、タッピングホール４７に縦桟１９のネジ挿通側面１９ｂから挿通したネジ２６で縦桟１９に止めてある。  
【００１３】
尚、図１及び図２に示すように、一対の縦桟１９、１９間の室内側には、上下方向に長い補助材４９が設けてあり、ルーバー材２１はその長手方向中間部を補助材４９にネジ５１で止めてある。  
また、最上位置にあるルーバー材２１は、その下方にあるルーバー材２１と異なった形状としてあり、中間垂直部４１の上端には室内側傾斜部４３に換えて室内側へ水平に設けた室内側水平部５３と室外側へ水平に設けた室外側水平部５５が形成してある。  
【００１４】
次に、図１及び図２を参照してガラリ１の組立てについて説明する。  
一対の縦桟１９、１９には、各々ルーバー材２１の取り付け位置にネジ挿通孔２７（図３参照）及び突条分断孔２５を形成する。  
一方の縦桟１９にはその上方から下方に順番にルーバー材２１を取り付けるが、各ルーバー材２１は縦桟１９の対向面１９ａに一方の端面を当て、ルーバー材２１の室外側垂直部３７を縦桟１９の室外側片２９の室内側面に当接させ、室内側垂直部４５を縦桟１９の室内側片３１の室外側面に当接させて配置すると共に、中間傾斜部３９の上端部が突条分断孔２５を横断するように配置し且つ中間垂直部４１を突条２３の室内側面に当接させる。これにより、中間傾斜部３９の上端部ではその上下を分断されて隣り合う突条２３、２３間に嵌め込んだ状態になる。  
図３に示すように、縦桟１９のネジ挿通側面１９ｂでは、突上分断孔２５に中間傾斜部３９が配置されている状態を目視で確認し、ネジ挿通孔２７から挿通するネジ２６をルーバー材２１のタッピングホール４７に螺合して、一方の縦桟１９にルーバー材２１の一方の端面を固定する。  
同様にして下方に位置するルーバー材２１を順次縦桟１９に取り付ける。  
その後、他方の縦桟１９の対向面１９ａに各ルーバー材２１の他端面を当接して配置して、上述した一方の縦桟１９と同様にしてネジ挿通側面１９ｂから挿通するネジ２６でルーバー材２１の他端面をネジ止めする。  
そして、縦桟１９、１９間の室内側に補助材４９を配置して、各ルーバー材２１の室内側垂直部４５にネジ５１で止め、ガラリ１を組み立てる。  
【００１５】
次に、ガラリ１の枠３への取り付けについて説明する。  
枠３の内周側に室外側からガラリ１を挿入し、枠３の内周側に突設する室外側片２９に室外側から縦桟１９を当接させて配置し、各縦桟１９の室外側突設片３５に押え材１３を室外側から押し付け、押え材１３の被係止部１５を縦枠９の係止部１７の室内側に係止する。その後、ネジ１２で押え材１３を対応する縦枠９に止める。  
【００１６】
本実施の形態にかかるガラリ１の効果について説明する。  
図３に示すように、縦桟１９に対してルーバー材２１が取り付け位置にある場合には、ルーバー材２１の端面は突条２３、２３間に挟まれた状態で突条分断孔２５を横断する位置にあるから、縦桟１９のネジ挿通側面１９ｂから突条分断孔２５を通じてルーバー材２１の端面の配置が容易に確認でき、施工性が良いと共に施工精度の向上を図ることができる。  
即ち、縦桟１９に対してルーバー材２１が正しい取付位置よりもずれている場合には、ルーバー材２１の端面が突条分断孔２５からずれて見えないから、ルーバー材２１が正しい取付位置にないことが容易にわかり、正しい位置に修正できる。  
【００１７】
ルーバー材２１は突条２３の室外側（見込方向一方側）で縦桟１９にネジ２６で止めてあると共に、その端面が、分断されて隣り合う突条２３、２３間に嵌まり込んでいることで、強風等による外力を受けた場合でもルーバー材２１に作用する回転方向の力を突条２３、２３で受けることができるから、ルーバー材２１の取付強度を高めることができる。即ち、図１に示すように、ルーバー材２１がネジ２６を中心に時計方向に回転しようとした場合には、下側の突条（分断された一方の突条）２３に当接し、反時計方向に回転しようとした場合には上側の突条（分断された他方の突条）２３に当接するから、突条２３、２３でネジ２６を中心とする時計方向と反時計方向のいずれの回転方向の力も受けて、ルーバー材２１の回転や位置ずれを防止できる。  
また、組立時にルーバー材２１を突条２３の室外側でネジ２６を止めるときに、ネジ止めによりルーバー材２１に作用する回転方向の力を上側の突条２３又は下側の突条２３で受けることができるから、ルーバー材２１の回転や位置ずれを防止できる。  
ルーバー材２１は中間垂直部（当接部）４１を突条２３の室内側面（見込み方向他方側面）に当接して取り付けているので、組立時にルーバー材２１を突条２３の室外側でネジ２６を止めるときやルーバー材２１の取り付け後に、ネジ２６を中心としてルーバー材２１に作用する反時計方向の力を突条２３の側面で受けることができるから、反時計方向の力に対するルーバー材２１の変形を防止できる。  
更に、ルーバー材２１の室外側垂直部（室外側端部）３７は縦桟１９の室外側片２９の室内側面に当接し、室内側垂直部（室内側端部）４５は縦桟１９の室内側片３１の室外側面に当接しているので、ネジ２６を中心とするルーバー材２１の時計方向の回転力に対してルーバー材２１の変形を防止できる。  
ルーバー材２１の端面は、中間傾斜部３９を隣り合う突条２３、２３間に嵌め込むようにして配置すると共に中間垂直部（当接部）４１を突条２３の室内側面に当接するように配置することで位置決めできるから、ルーバー材２１の位置決めが容易にできる。  
ガラリ１を枠３に取り付けるときには、枠３の内周に室外側からガラリ１を挿入し、ガラリ１を押え材１３で枠３の受け部１１に押し付けて、枠３の係止部１７に押え材１３の被係止部１５を室内側から係止しているので、ネジ１２による押え材１３のネジ止め箇所を少なくできるから、ガラリ１の枠３への取り付けが容易で且つ部品点数を少なくできる。  
また、ガラリ１の取り外しは、ネジ１２を外した後、押え材１３を枠３から外すことで、容易にできる。  
【００１８】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図４に、第２実施の形態にかかるガラリ１を示す。このガラリ１では、桟材１９に突条分断孔２５（図１参照）を形成していないこと及びルーバー材２１の形状が第１実施の形態と異なっている。  
即ち、突条２３は桟材１９の端面が当接する位置で分断部６１が形成してあり、分断部６１では分断されて隣り合う突条２３、２３間にルーバー材２１が嵌り込む構成としてある。分断部６１は、例えばカッターで突条２３を切除して形成する。  
ルーバー材２１は、その縦断面において、室外側垂直部３７と、室内側垂直部４５とが水平方向で略同じ位置にあり、室外側垂直部３７の上端と室内側垂直部４５の上端との間に室外側中間傾斜部３９ａと室内側中間傾斜部３９ｂとが形成してある。室外側中間傾斜部３９ａは室外側垂直部３７の上端から室内側上方に向かって傾斜しており、室内側中間傾斜部３９ｂは室外側中間傾斜部３９ａの上端から室内側下方に向かって傾斜しており、室外側中間傾斜部３９ａと室内側中間傾斜部３９ｂとで略山形状を成し、その頂上部４０が桟材１９の対向面において見込方向略中間に位置している。頂上部４０にはタッピングホール４７が形成してあり、室内側中間傾斜部３９ｂの傾斜途中には下方に垂下した中間垂直部（当接部）４１が形成されている。  
この第２実施の形態では、室内側中間傾斜部３９ｂが分断された突条２３、２３間に嵌り込んでおり、ネジ２６の下方で中間垂直部４１が突条２３の室内側面（見込み方向他方側面）に当接している。  
【００１９】
この第２実施の形態によれば、中間垂直部４１がネジ２６の室内側下方で突条２３の室内側面に当接しているから、ネジ２６に対する時計方向の回転力を突条２３の側面で受けることができるほか、突条分断孔２５を形成していないのでこの突条分断孔２５の効果を除いて、第１実施の形態と同様の作用効果を奏することができる。  
【００２０】
図５に第３実施の形態を示す。この第３実施の形態では、第２実施の形態と同様に突条分断孔２５を設けずに突条２３のみを分断部６１で分断しているが、ルーバー材２１の断面形状が第２実施の形態と異なっている。  
第３実施の形態では、ルーバー材２１には、室外側垂直部３７の上端から室内側へ水平に設けた室外側水平部５７と、室外側水平部５７の室内側端から突条２３の室内側面に沿って立ち上がる中間垂直部４１と、中間垂直部４１の上端から室内側へ水平に設けた室内側水平部５３が形成してあり、室内側水平部５３の室内側端から垂下する室内側垂直部４５が形成してある。  
【００２１】
この第３実施の形態では、室外側水平部５７の室内側端部が分断部６１で分断された隣り合う突条２３、２３間に嵌り込んでおり、中間垂直部４１はネジ２６の室内側上方で突条２３の室内側面に当接している。  
この第３実施の形態によれば、中間垂直部４１がネジ２６の室内側上方で突条２３の室内側面に当接しているから、ネジ２６に対する反時計方向の回転力を突条２３の側面で受けることができるほか、第２実施の形態と同様の作用効果を奏することができる。  
【００２２】
図６に第４実施の形態を示す。この第４実施の形態では、ルーバー材２１は、第１実施の形態と略同じ形状であるが、桟材１９の突条２３は突条分断孔２５（図１参照）で分断せずに、第２及び第３実施の形態と同様に、突条２３のみを分断する分断部６１で分断している。  
この第４実施の形態によれば、突条分断孔２５による効果を除いて第１実施の形態と同様の作用効果を奏することができる。  
【００２３】
本発明は、前述した実施の形態に限定されるものではなく、その要旨を逸脱しない範囲で種々変形可能である。  
ガラリ１は、左右に対向して設けた縦桟１９、１９間に複数のルーバー材２１を上下に間隔をあけて配置することに限らず、上下に対向して設けた横桟１９、１９間に複数のルーバー材２１を左右に間隔をあけて配置しても良い。  
上述した実施の形態では、縦桟１９に対してルーバー２１を上から順に取り付けたが、これに限らず、下から順に取り付けても良いし、取り付け手順は限定されない。  
ルーバー材２１の長手方向中間部をネジ５１で止めている補助材４９は無くても良い。
【符号の説明】
【００２４】
１    ガラリ
１９  縦桟
１９ａ  対向面
２１  ルーバー材
２３  突条
２５  突条分断孔（分断部）
６１  分断部
２６  ネジ
【図１】
0006567956.tif 000002
【図２】
0006567956.tif 000003
【図３】
0006567956.tif 000004
【図４】
0006567956.tif 000005
【図５】
0006567956.tif 000006
【図６】
0006567956.tif 000007